(57)【要約】【課題】ユーザがキューポイントとして設定したい時点をキューポイントとして容易に設定可能とする。【解決手段】キューポイント設定装置は、記録中又は再生中の情報に対して頭出し再生開始位置を示すキューポイントを指定するための第１指示を外部から入力可能な第１指示入力手段（３１）と、記録中又は再生中の情報における第１指示が入力された時刻から所定時間だけ前の時刻をキューポイントとして設定するキューポイント設定手段（４１）とを備える。【選択図】図１
2008234798.tif 000002
【特許請求の範囲】
【請求項１】
記録中又は再生中の情報に対して頭出し再生開始位置を示すキューポイントを設定するキューポイント設定装置であって、
前記キューポイントを指定するための第１指示を外部から入力可能な第１指示入力手段と、
前記情報における前記第１指示が入力された時刻から所定時間だけ前の時刻を前記キューポイントとして設定するキューポイント設定手段と
を備えたことを特徴とするキューポイント設定装置。
【請求項２】
前記所定時間は、予め定められた固定時間であることを特徴とする請求項１に記載のキューポイント設定装置。
【請求項３】
前記所定時間を指定するための第２指示を外部から入力可能な第２指示入力手段を更に備え、
前記キューポイント設定手段は、前記第１指示が入力された時刻から前記第２指示が入力された時刻までの時間を前記所定時間として前記キューポイントを設定する
ことを特徴とする請求項１に記載のキューポイント設定装置。
【請求項４】
前記情報は、動画像情報を含み、
前記動画像情報の少なくとも一部分を複数の静止画像として抽出し、該複数の静止画像を一時記録媒体に記録する静止画像記録手段と、
前記第１指示が入力されると、前記複数の静止画像を表示する静止画像表示手段と、
前記表示された複数の静止画像のうち一の静止画像を選択する静止画像選択手段と
を更に備え、
前記キューポイント設定手段は、前記一の静止画像の前記情報における時刻を前記キューポイントとして設定する
ことを特徴とする請求項１に記載のキューポイント設定装置。
【請求項５】
前記情報は、動画像情報を含み、
前記動画像情報の少なくとも一部分を一時記録媒体に記録する動画像記録手段と、
前記第１指示が入力されると、前記少なくとも一部分を逆再生して表示する逆再生表示手段と、
前記逆再生中に前記キューポイントを設定するための第３指示を外部から入力可能な第３指示入力手段と
を更に備え、
前記キューポイント設定手段は、前記情報における前記第３指示が入力された時刻を前記キューポイントとして設定する
ことを特徴とする請求項１に記載のキューポイント設定装置。
【請求項６】
前記情報における前記第１指示が入力された時刻を、前記キューポイントからの再生終了位置を示すエンドポイントとして設定するエンドポイント設定手段を更に備えることを特徴とする請求項１から５のいずれか一項に記載のキューポイント設定装置。
【請求項７】
前記キューポイントを記憶するためのキューポイント記憶手段を更に備え、
前記キューポイント設定手段は、前記キューポイントを前記キューポイント記憶手段に記録する
ことを特徴とする請求項１から６のいずれか一項に記載のキューポイント設定装置。
【請求項８】
前記情報は、外部記録媒体に記録中の情報であって、
前記キューポイント設定手段は、前記キューポイントを前記外部記録媒体に記録する
ことを特徴とする請求項１から６のいずれか一項に記載のキューポイント設定装置。
【請求項９】
記録中又は再生中の情報に対して頭出し再生開始位置を示すキューポイントを設定するキューポイント設定方法であって、
前記キューポイントを指定するための指示を外部から入力する指示入力工程と、
前記情報における前記指示が入力された時刻から所定時間だけ前の時刻を前記キューポイントとして設定するキューポイント設定工程と
を備えたことを特徴とするキューポイント設定方法。
【請求項１０】
情報を再生する情報再生手段と、
前記再生中の情報に対する頭出し再生開始位置を示すキューポイントを指定するための指示を外部から入力可能な指示入力手段と、
前記情報における前記指示が入力された時刻から所定時間だけ前の時刻を前記キューポイントとして設定するキューポイント設定手段と
を備えたことを特徴とする情報再生装置。
【請求項１１】
情報を記録する情報記録手段と、
前記記録中の情報に対する頭出し再生開始位置を示すキューポイントを指定するための指示を外部から入力可能な指示入力手段と、
前記情報における前記指示が入力された時刻から所定時間だけ前の時刻を前記キューポイントとして設定するキューポイント設定手段と
を備えたことを特徴とする情報記録装置。
【発明の詳細な説明】
【技術分野】
【０００１】
本発明は、例えばＤＶＤプレーヤ等の情報再生装置や例えばＤＶＤレコーダ等の情報記録装置に用いられるキューポイント設定装置及び方法、並びに該キューポイント設定装置を備える情報再生装置及び情報記録装置の技術分野に関する。
【背景技術】
【０００２】
近年、ＣＤやＤＶＤ等の情報記録媒体に記録されている情報を再生する情報再生装置では、頭出し再生機能を備えたものが普及している。頭出し再生機能は、キューポイント或いはキュー点（Cue Point）と呼ばれる位置を検索して情報再生を開始する機能であり、例えばユーザ等がキューポイントとして所望の情報の記録位置（即ち、情報の時間軸上における時刻）を予め登録しておき、再生中にキューポイントを指定すると、現在再生中の位置からキューポイントの位置へ自動的にジャンプして情報再生を開始させることができる。
【０００３】
例えば特許文献１では、撮影中、カセットに半導体メモリが設けられたテープ状記録媒体に、適切にカット決めを行いながら、その半導体メモリに、キューポイントを記録する方法が開示されている。
【０００４】
【特許文献１】特許第３７７２３７４号公報
【発明の開示】
【発明が解決しようとする課題】
【０００５】
しかしながら、上述した特許文献１に開示された技術によれば、ユーザが撮影中の映像を見てキューポイントであると判断した時点或いはその後の時点がキューポイントとして設定される。このため、キューポイントは、ユーザが本来キューポイントとして設定したい時点から遅れた時点に設定されてしまうおそれがあるという技術的問題点がある。例えば、スポーツ映像を撮影している場合、ユーザは注目すべきプレーが開始された時点をキューポイントとして設定したいにもかかわらず、ユーザがキューポイントであると判断する時点はそのプレーが開始された時点から遅れることが多く、そのプレーが開始された時点から遅れた時点がキューポイントとして設定されてしまうおそれがある。
【０００６】
本発明は、例えば上述した問題点に鑑みなされたものであり、ユーザがキューポイントとして設定したい時点をキューポイントとして容易に設定可能なキューポイント設定装置及び方法、並びに情報再生装置及び情報記録装置を提供することを課題とする。
【課題を解決するための手段】
【０００７】
上記課題を解決するために請求項１に記載のキューポイント設定装置は、記録中又は再生中の情報に対して頭出し再生開始位置を示すキューポイントを設定するキューポイント設定装置であって、前記キューポイントを指定するための第１指示を外部から入力可能な第１指示入力手段と、前記情報における前記第１指示が入力された時刻から所定時間だけ前の時刻を前記キューポイントとして設定するキューポイント設定手段とを備える。
【０００８】
上記課題を解決するために請求項９に記載のキューポイント設定方法は、記録中又は再生中の情報に対して頭出し再生開始位置を示すキューポイントを設定するキューポイント設定方法であって、前記キューポイントを指定するための指示を外部から入力する指示入力工程と、前記情報における前記指示が入力された時刻から所定時間だけ前の時刻を前記キューポイントとして設定するキューポイント設定工程とを備える。
【０００９】
上記課題を解決するために請求項１０に記載の情報再生装置は、情報を再生する情報再生手段と、前記再生中の情報に対する頭出し再生開始位置を示すキューポイントを指定するための指示を外部から入力可能な指示入力手段と、前記情報における前記指示が入力された時刻から所定時間だけ前の時刻を前記キューポイントとして設定するキューポイント設定手段とを備える。
【００１０】
上記課題を解決するために請求項１１に記載の情報記録装置は、情報を記録する情報記録手段と、前記記録中の情報に対する頭出し再生開始位置を示すキューポイントを指定するための指示を外部から入力可能な指示入力手段と、前記情報における前記指示が入力された時刻から所定時間だけ前の時刻を前記キューポイントとして設定するキューポイント設定手段とを備える。
【発明を実施するための最良の形態】
【００１１】
以下、発明を実施するための最良の形態として、本発明のキューポイント設定装置及び方法、並びに情報性再生装置及び情報記録装置の各々に係る実施形態について順に説明する。
【００１２】
（キューポイント設定装置の実施形態）
本発明のキューポイント設定装置に係る実施形態は、記録中又は再生中の情報に対して頭出し再生開始位置を示すキューポイントを設定するキューポイント設定装置であって、前記キューポイントを指定するための第１指示を外部から入力可能な第１指示入力手段と、前記情報における前記第１指示が入力された時刻から所定時間だけ前の時刻を前記キューポイントとして設定するキューポイント設定手段とを備える。
【００１３】
本発明のキューポイント設定装置に係る実施形態によれば、例えばビデオカメラによって撮影された映像が情報として記録される記録中や外部記録媒体に記録された情報が例えばＤＶＤプレーヤ等の再生手段によって再生される再生中に、該記録中の情報や該再生中の情報に対してキューポイントが設定される。本発明に係る「キューポイント」とは、記録中又は再生中の情報の時間軸における頭出し再生開始位置（或いは頭出し再生開始時刻）であり、キューポイントが設定された後の情報（即ち、キューポイントが設定済みの情報）に対してユーザからの頭出し再生開始の指示がなされると、情報はキューポイントから頭出し再生される。
【００１４】
第１指示入力手段は、キューポイントを指定するための第１指示を外部から入力可能であり、例えば外部入力ボタン等を含んで構成される。第１指示は、情報の記録中又は再生中に、ユーザがキューポイントを指定したい場合に、キューポイントを指定したい旨を示す指示として入力される。
【００１５】
本実施形態では特に、キューポイント設定手段は、記録中又は再生中の情報における第１指示が入力された時刻から所定時間だけ前の時刻（言い換えれば、所定時間だけ過去の時点）をキューポイントとして設定する。よって、記録中又は再生中の情報に対して、ユーザが本来キューポイントとして設定したい時刻に殆ど或いは完全に一致した時刻をキューポイントとして設定することができる。即ち、記録中又は再生中の情報における第１指示が入力された時刻が、ユーザが本来キューポイントとして設定したい時刻よりも遅れた時刻であっても、第１指示が入力された時刻から所定時間だけ遡った過去の時刻がキューポイントとして設定されるので、設定されたキューポイントとユーザが本来キューポイントとして設定したい時刻との差を殆ど或いは完全に無くすことができる。言い換えれば、記録中又は再生中の情報における第１指示が入力された時刻とユーザが本来キューポイントとして設定したい時刻との差を補償して、キューポイントを設定することができる。
【００１６】
本発明のキューポイント設定装置に係る実施形態の一態様では、前記所定時間は、予め定められた固定時間である。
【００１７】
この態様によれば、所定時間は、例えば記録中又は再生中の情報の内容に応じて、固定時間として予め定められる。よって、当該キューポイント設定装置を比較的単純な構成とすることができる。
【００１８】
本発明のキューポイント設定装置に係る実施形態の他の態様では、前記所定時間を指定するための第２指示を外部から入力可能な第２指示入力手段を更に備え、前記キューポイント設定手段は、前記第１指示が入力された時刻から前記第２指示が入力された時刻までの時間を前記所定時間として前記キューポイントを設定する。
【００１９】
この態様によれば、ユーザは、第１指示に続いて第２指示を入力することにより、所定時間の長さを調節することが可能である。
【００２０】
本発明のキューポイント設定装置に係る実施形態の他の態様では、前記情報は、動画像情報を含み、前記動画像情報の少なくとも一部分を複数の静止画像として抽出し、該複数の静止画像を一時記録媒体に記録する静止画像記録手段と、前記第１指示が入力されると、前記複数の静止画像を表示する静止画像表示手段と、前記表示された複数の静止画像のうち一の静止画像を選択する静止画像選択手段とを更に備え、前記キューポイント設定手段は、前記一の静止画像の前記情報における時刻を前記キューポイントとして設定する。
【００２１】
この態様によれば、ユーザは、第１指示が入力される前に記録又は再生された動画像情報から抽出された複数の静止画像のうち一の静止画像を選択することにより、キューポイントを指定することができる。よって、ユーザがキューポイントとして設定したい時刻を、キューポイントとして容易に設定することができる。
【００２２】
本発明のキューポイント設定装置に係る実施形態の他の態様では、前記情報は、動画像情報を含み、前記動画像情報の少なくとも一部分を一時記録媒体に記録する動画像記録手段と、前記第１指示が入力されると、前記少なくとも一部分を逆再生して表示する逆再生表示手段と、前記逆再生中に前記キューポイントを設定するための第３指示を外部から入力可能な第３指示入力手段とを更に備え、前記キューポイント設定手段は、前記情報における前記第３指示が入力された時刻を前記キューポイントとして設定する。
【００２３】
この態様によれば、ユーザは、逆再生される動画像情報を確認して、キューポイントを指定することができる。よって、ユーザがキューポイントとして設定したい時刻を、キューポイントとして容易に設定することができる。
【００２４】
尚、逆再生表示手段は、逆再生する際、逆再生する速度など再生状態を変更可能に構成してもよい。
【００２５】
本発明のキューポイント設定装置に係る実施形態の他の態様では、前記情報における前記第１指示が入力された時刻を、前記キューポイントからの再生終了位置を示すエンドポイントとして設定するエンドポイント設定手段を更に備える。
【００２６】
この態様によれば、キューポイントとエンドポイントとの間における情報をループ再生（即ち、繰り返し再生）することが可能となる。更に、キューポイント及びエンドポイントは、共通の第１指示によって設定されるので、キューポイントのみを設定する場合に対して外部からの入力を増やすことなく、ループ再生することが可能となる。尚、本発明に係る「エンドポイント」とは、記録中又は再生中の情報の時間軸における再生終了位置（或いは再生終了時刻）である。キューポイント及びエンドポイントが設定された後の情報（即ち、キューポイント及びエンドポイントが設定済みの情報）に対してユーザからの頭出し再生開始の指示がなされると、情報はキューポイントから頭出し再生が開始され、その後、エンドポイントまで再生されると、再生が終了されたり、再び、キューポイントから頭出し再生が開始（つまり、ループ再生が開始）されたりする。
【００２７】
本発明のキューポイント設定装置に係る実施形態の他の態様では、前記キューポイントを記憶するためのキューポイント記憶手段を更に備え、前記キューポイント設定手段は、前記キューポイントを前記キューポイント記憶手段に記録する。
【００２８】
この態様によれば、設定されたキューポイントをキューポイント記憶手段に記録することができる。よって、再生専用記録媒体から再生中の情報に対して設定したキューポイントを記録しておくことが可能となる。尚、記録可能な記録媒体を用いた記録中又は再生中の情報に対して設定したキューポイントは、その記録可能な記録媒体に記録してもよいし、キューポイント記憶手段に記録してもよい。
【００２９】
本発明のキューポイント設定装置に係る実施形態の他の態様では、前記情報は、外部記録媒体に記録中の情報であって、前記キューポイント設定手段は、前記キューポイントを前記外部記録媒体に記録する。
【００３０】
この態様によれば、設定されたキューポイントは、情報が記録中の外部記録媒体に記録される。よって、設定されたキューポイントを記録するための記憶手段を、外部記録媒体と別個に設ける必要がない。
【００３１】
本発明のキューポイント設定方法に係る実施形態は、記録中又は再生中の情報に対して頭出し再生開始位置を示すキューポイントを設定するキューポイント設定方法であって、前記キューポイントを指定するための指示を外部から入力する指示入力工程と、前記情報における前記指示が入力された時刻から所定時間だけ前の時刻を前記キューポイントとして設定するキューポイント設定工程とを備える。
【００３２】
本発明のキューポイント設定方法によれば、上述した本発明のキューポイント設定装置が享受する利益と同様の利益を享受することができる。
【００３３】
本発明の情報再生装置に係る実施形態は、情報を再生する情報再生手段と、前記再生中の情報に対する頭出し再生開始位置を示すキューポイントを指定するための指示を外部から入力可能な指示入力手段と、前記情報における前記指示が入力された時刻から所定時間だけ前の時刻を前記キューポイントとして設定するキューポイント設定手段とを備える。
【００３４】
本発明の情報再生装置によれば、上述した本発明のキューポイント設定装置が享受する利益と同様の利益を享受することができる。
【００３５】
本発明の情報記録装置に係る実施形態は、情報を記録する情報記録手段と、前記記録中の情報に対する頭出し再生開始位置を示すキューポイントを指定するための指示を外部から入力可能な指示入力手段と、前記情報における前記指示が入力された時刻から所定時間だけ前の時刻を前記キューポイントとして設定するキューポイント設定手段とを備える。
【００３６】
本発明の情報記録装置によれば、上述した本発明のキューポイント設定装置が享受する利益と同様の利益を享受することができる。
【００３７】
本実施形態のこのような作用及び他の利得は次に説明する実施例から更に明らかにされる。
【００３８】
以上説明したように、本発明のキューポイント設定装置に係る実施形態によれば、第１指示入力手段と、キューポイント設定手段とを備える。本発明のキューポイント設定方法に係る実施形態によれば、指示入力工程と、キューポイント設定工程とを備える。本発明の情報再生装置に係る実施形態によれば、情報再生手段と、指示入力手段と、キューポイント設定手段とを備える。本発明の情報記録装置に係る実施形態によれば、情報記録手段と、指示入力手段と、キューポイント設定手段とを備える。よって、記録中又は再生中の情報に対して、ユーザがキューポイントとして設定したい時刻に殆ど或いは完全に一致した時刻をキューポイントとして容易に設定することができる。
【実施例】
【００３９】
以下、本発明の実施例を図面に基づいて説明する。尚、以下の実施例は、例えばビデオカメラにより撮影された映像などのビデオ信号を記録及び再生可能な情報記録再生装置に対して、本発明のキューポイント設定装置を適用した場合の実施例である。また、以下に説明する本実施例に係る情報記録再生装置は、クラブやディスコ等の舞踏場において、音楽データないしは映像データに対して様々な特殊効果（イフェクト）を付加しつつ連続的に再生する際に用いられるＤＪ（Disc Jockey）機器として用いることもできる。
【００４０】
（基本構成）
先ず、本実施例に係る情報記録再生装置の基本構成について、図１を参照して説明する。ここに、図１は、本実施例に係る情報記録再生装置の基本構成を示すブロック図である。
【００４１】
図１において、情報記録再生装置１は、ビデオ入力端子１１と、ビデオ入力処理部１２と、ビデオ出力処理部１３と、ビデオ出力端子１４と、ビデオ符号化部２２と、ビデオ復号化部２３と、制御部４０と、第１入力部３１と、第２入力部３２と、静止画選択入力部３３と、キューポイント記録用メモリ３４と、ビデオプロセッサ３５と、ビデオメモリ３６とを備えている。
【００４２】
ビデオ入力端子１１は、ビデオ信号を入力可能な端子であり、例えばビデオカメラ、ＴＶチューナー等のビデオ信号を出力する機器の出力端に接続される。
【００４３】
ビデオ入力処理部１２は、ビデオ入力端子１１から入力されたビデオ信号に対して、ＡＤ（Analog to Digital）変換などの入力処理を施すことにより画像データを生成して、ビデオプロセッサ３５に出力する。
【００４４】
ビデオ出力処理部１３は、ビデオプロセッサ３５から入力される画像データに対して、ＤＡ（Digital to Analog）変換などの出力処理を施すことにより、ビデオ信号を生成して、ビデオ出力端子１４に出力する。
【００４５】
ビデオ出力端子１４は、ビデオ出力処理部１３から入力されるビデオ信号を外部に出力可能な端子であり、例えば液晶ディスプレイ等の表示装置に接続される。
【００４６】
ビデオ符号化部２２は、本発明に係る「記録手段」の一例であり、ビデオプロセッサ３５から供給される画像データを、例えばＭＰＥＧ（Moving Picture Expert Group）圧縮方式等により符号化（即ち、エンコード）して、例えばＤＶＤ等の外部記録媒体であるメディア５０に記録可能に構成されている。
【００４７】
ビデオ復号化部２３は、本発明に係る「再生手段」の一例であり、メディア５０に記録されている圧縮された画像データを復号化（即ち、デコード）して、ビデオプロセッサ３５に出力する。
【００４８】
第１入力部３１及び第２入力部３２はそれぞれ、ユーザにより押下可能な操作ボタンを含んで構成され、この操作ボタンをユーザが押下することで、キューポイント及びエンドポイントの設定を指示することができる。尚、第１入力部３１及び第２入力部３２は、物理的に別個独立して設けてもよいし、物理的に共通して設けられてもよい。第１入力部３１は、本発明に係る「第１入力手段」の一例であり、第２入力部３２は、本発明に係る「第2入力手段」の一例であると共に本発明に係る「第３入力手段」の一例でもある。
【００４９】
ビデオプロセッサ３５は、ビデオ入力処理部１２、ビデオメモリ３６、ビデオ復号化部２３からの画像データに対して所定の信号処理を施してビデオ出力処理部１３に出力することが可能構成に構成されている。更に、ビデオプロセッサ３５は、ビデオ入力処理部１２又はビデオ復号化部２３から入力される画像データを一時記録媒体であるビデオメモリ３６に記録することが可能に構成されている。加えて、ビデオプロセッサ３５は、ビデオ入力処理部１２又はビデオ復号化部２３から入力される画像データから所定の時間間隔で静止画像を抽出して、一時記録媒体であるビデオメモリ３６に記録することが可能構成されている。このようなビデオメモリ３６への記録の際、ビデオメモリ３６には、そのメモリ量に応じて、一定量の画像データ（動画像或いは静止画像）が記録される。ビデオメモリ３６に既に記録された画像データは、ビデオメモリ３６のメモリ量に応じて、古いものから順に、新しい画像データに置き換えられる。
【００５０】
静止画選択入力部３３は、ビデオメモリ３６に記録された複数の静止画像のいずれかを選択することが可能に構成されている。静止画選択入力部３３は、例えば矢印ボタン、ジョグダイヤルや、マウス等のポインティングデバイスとして構成されている。ビデオ出力端子１４に接続された表示装置に、ビデオメモリ３６に記録された複数の静止画像の一部或いは全部が表示された際、ユーザは、静止画選択入力部３３により一の静止画像を選択することが可能となる。
【００５１】
制御部４０は、ビデオ入力処理部１２、ビデオ出力処理部１３、ビデオ符号化部２２、ビデオ復号化部２３及びビデオプロセッサ３５の動作を制御可能に構成されている。更に、制御部４０は、キューポイント設定部４１及びエンドポイント設定部４２を有している。キューポイント設定部４１は、第１入力部３１及び第２入力部３２から入力されるユーザからの指示に基づいてキューポイントを設定する。エンドポイント設定部４２は、第１入力部３１及び第２入力部３２から入力されるユーザからの指示に基づいてエンドポイントを設定する。
【００５２】
キューポイント記録用メモリ３４は、本発明に係る「キューポイント記憶手段」の一例であり、不揮発性のメモリである。キューポイント記録用メモリ３４は、キューポイント設定部４１により設定されたキューポイントを記憶する。
【００５３】
（第１動作例）
次に、本実施例に係る情報記録再生装置がキューポイントを設定する際の第１動作例について、図１に加えて図２及び図３を参照して説明する。ここに図２は、本実施例に係る情報記録再生装置がキューポイントを設定する際の第１動作例の流れを概念的に示すフローチャートである。図３は、キューポイント及び第１入力点にて特定される画像データ部分を概念的に示すタイミングチャートである。
【００５４】
図２において、先ず、ビデオ入力端子１１からビデオ信号の入力が開始される（ステップＳ１０１）。入力されたビデオ信号は、ビデオ入力処理部１２によりＡＤ変換等の入力処理が施され、画像データとしてビデオプロセッサ３５を介してビデオ出力処理部１３及びビデオ符号化部２２にそれぞれ出力される。ビデオ出力処理部１３に入力された画像データは、ビデオ出力処理部１３によりＤＡ変換等の出力処理が施され、ビデオ信号として出力端子１４を介して外部の表示装置に出力される。表示装置にはビデオ信号に基づいた映像が表示され、ユーザは、その映像を視認することができる。
【００５５】
次に、ビデオ符号化部２２に入力された画像データの記録が開始される（ステップＳ１０２）。即ち、ビデオ符号化部２２に入力された画像データは、ビデオ符号化部２２により符号化され、メディア５０に記録され始める。言い換えれば、ビデオ入力端子１１からのビデオ信号の記録中の状態となる。
【００５６】
その後、第１入力部３１へのユーザからの指示の待ち状態となり、第１入力部３１へのユーザからの指示（以下、「第１入力」とも呼ぶ）があったか否かが制御部４０により判定される（ステップＳ１０３）。より具体的には、第１入力部３１に含まれる操作ボタンが押下されたか否かが判定される。判定の結果、第１入力がないと判定された場合には（ステップＳ１０３：Ｎｏ）、再び、第１入力部３１へのユーザからの指示の待ち状態となる。
【００５７】
一方、判定の結果、第１入力があったと判定された場合には（ステップＳ１０３：Ｙｅｓ）、記録中の画像データにおける第１入力があった時点（以下、「第１入力点」とも呼ぶ）でのタイムスタンプ（即ち、ビデオ信号の時間軸における時刻情報）が制御部４０により取得される（ステップＳ１０４）。
【００５８】
次に、この取得されたタイムスタンプに基づいて、キューポイントがキューポイント設定部４１により設定される（ステップＳ１０５）。より具体的には、キューポイント設定部４１は、取得されたタイムスタンプが示す時刻より固定時間Ｔ１だけ前の時刻をキューポイントとして設定する。つまり、キューポイント設定部４１は、取得されたタイムスタンプが示す時刻から固定時間Ｔ１だけ減算した過去の時刻をキューポイントとして設定する。
【００５９】
ここで、ユーザが、表示装置に表示される映像を見ながらキューポイントを設定する場合において、ユーザがキューポイントであると判断する時点は、キューポイントとして設定したい時刻を過ぎてしまっていることが多い。
【００６０】
例えば、スポーツ映像の撮影中に、注目すべきプレー（例えばテニスのサーブ、野球のピッチングなど）の開始時刻をキューポイントとして設定したい場合、ユーザは、そのプレーを確認した後に、そのプレーの開始時刻がキューポイントであると判断する（言い換えれば、そのプレーを確認することで、そのプレーの開始時刻をキューポイントにしたいか否かを決めることができる）ので、ユーザがキューポイントとして設定したい時点から、ユーザがキューポイントであると判断する時点までには、そのプレーに応じた時間が経過していることが多い。
【００６１】
よって、仮に、何らの対策も施さず、第１入力部へのユーザからの指示があった時点でのタイムスタンプが示す時刻をキューポイントとして設定するように構成した場合には、ユーザが本来キューポイントとして設定したい時刻よりも遅れた時刻がキューポイントとして設定されてしまうおそれがある。
【００６２】
しかるに実施例では特に、上述したように、キューポイント設定部４１は、取得されたタイムスタンプが示す時刻より固定時間Ｔ１だけ前の時刻をキューポイントとして設定する。よって、例えば、図３に示すように、ユーザがテニス映像を撮影している場合において、ユーザは、サービスエースとなった時刻Ｔｂに第１入力部３１に指示を入力することで、時刻Ｔｂより固定時間Ｔ１（例えば数秒）だけ前の時刻Ｔａ（例えば、サービエースとなったサーブが開始される時点）をキューポイントとして設定することが可能となる。つまり、記録中の画像データに対して、ユーザが本来キューポイントとして設定したい時刻に殆ど或いは完全に一致した時刻をキューポイントとして設定することができる。言い換えれば、記録中の画像データにおける第１入力部３１へのユーザからの指示があった時刻とユーザが本来キューポイントとして設定したい時刻との差を補償して、キューポイントを設定することができる。
【００６３】
尚、固定時間Ｔ１は、例えばキューポイントを設定する画像データ部分の映像の種類（例えばテニスのサーブ、サッカーのゴールシーンなど）に応じた固定時間として、ユーザによって予め設定されてもよいし、キューポイントを設定する画像データ部分の映像の種類によらない固定時間として予め設定されてもよい。
【００６４】
続いて、このように設定されたキューポイントは、キューポイント設定部４１によって、メディア５０に記録される（ステップＳ１０６）。
【００６５】
尚、本動作例では、ビデオ入力端子１１から入力されるビデオ信号をメディア５０に対して記録しながらキューポイントを設定する場合について説明したが、メディア５０が再生専用記録媒体であって、メディア５０の画像データをビデオ復号化部２３によって復号化しながら（つまり、再生しながら）キューポイントを設定する場合にも、キューポイント設定部４１によって、ユーザがキューポイントとして設定したい時刻に殆ど或いは完全に一致した時刻をキューポイントとして設定することができる。この場合、設定されたキューポイントは、キューポイント設定部４１によって、キューポイント記録用メモリ３４に記録される。この際、再生中のメディア５０を特定するための識別子を、当該メディア５０のデータ構造、ファイル構造等に基づいて生成してキューポイント記録用メモリ３４に記録するようにするとよい。
【００６６】
（第２動作例）
次に、本実施例に係る情報記録再生装置がキューポイントを設定する際の第２動作例について、図１に加えて図４及び図５を参照して説明する。ここに図４は、本実施例に係る情報記録再生装置がキューポイントを設定する際の第２動作例の流れを概念的に示すフローチャートである。図５は、キューポイント、第１入力点及び第２入力点にて特定される画像データ部分を概念的に示すタイミングチャートである。尚、図４では、図２に示した第１動作例に係るフローチャートにおけるステップと同様のステップには同一の参照符号を付し、それらの説明は適宜省略する。
【００６７】
図４において、先ず、ステップS１０１からステップS１０４までの一連の動作が行われ、記録中の画像データにおける第１入力があった時点でのタイムスタンプが制御部４０により取得される。
【００６８】
次に、取得されたタイムスタンプからの経過時間の計測が開始される（ステップＳ２０１）。具体的には、第２入力部３２へのユーザからの指示の待ち状態が開始される。そして、第２入力部３２へのユーザからの指示（以下、「第２入力」とも呼ぶ）があったか否かが制御部４０により判定される（ステップＳ２０２）。より具体的には、第２入力部３２に含まれる操作ボタンが押下されたか否かが判定される。判定の結果、第２入力がないと判定された場合には（ステップＳ２０２：Ｎｏ）、再び、第２入力部３２へのユーザからの指示の待ち状態となる。
【００６９】
一方、判定の結果、第２入力があったと判定された場合には（ステップＳ２０２：Ｙｅｓ）、記録中の画像データにおける第２入力があった時点（以下、「第２入力点」とも呼ぶ）でのタイムスタンプが制御部４０により取得される（ステップＳ２０３）。更に、制御部４０により、第１入力点から第２入力点までの経過時間Ｔ２が、第２入力点でのタイムスタンプと第１入力点でのタイムスタンプとの差として算出される。
【００７０】
次に、第１入力点でのタイムスタンプと経過時間Ｔ２とに基づいてキューポイントが、キューポイント設定部４１により設定される（ステップＳ２０４）。より具体的には、キューポイント設定部４１は、第１入力点でのタイムスタンプが示す時刻より経過時間Ｔ２だけ前の時刻をキューポイントとして設定する。よって、上述した第１動作例とは異なり、ユーザは、第１入力点からどれだけ前の時刻をキューポイントとして設定するかを、第１入力部３１に指示を入力した後に、キューポイントを設定する映像部分の時間に応じて決めることができる。例えば、図５に示すように、ユーザがテニス映像を撮影している場合において、ユーザは、サービスエースとなった時刻Ｔｂに第１入力部３１に指示を入力した後、更に、時刻Ｔｂからの経過時間Ｔ２がサーブの開始時刻Ｔａから時刻Ｔｂまでの時間（Ｔｂ−Ｔａ）と一致すると予想する時刻Ｔｃに第２入力部３２に指示を入力することで、キューポイントとしたい時刻Ｔａをキューポイントとして設定することが可能となる。つまり、第２動作例によれば、ユーザは、本来キューポイントとして設定したい時刻よりも遅れた時刻であっても、第１入力点から所定時間だけ遡った時刻をキューポイントとして設定可能であると共に、その所定時間の長さを第２入力によって調節することが可能である。従って、キューポイント設定部４１により設定されたキューポイントとユーザがキューポイントとして設定したい時刻との差を、より一層、少なくすることが可能となる。
【００７１】
尚、第２動作例は、例えばサッカーやバスケットのゴールシーンなど、そのプレーの内容によって時間の異なる映像の画像データ部分に対してキューポイントを設定する場合に特に有効である。
【００７２】
続いて、このように設定されたキューポイントは、キューポイント設定部４１によって、メディア５０に記録される（ステップＳ１０６）。
【００７３】
（第３動作例）
次に、本実施例に係る情報記録再生装置がキューポイントを設定する際の第３動作例について、図１に加えて図６を参照して説明する。ここに図６は、本実施例に係る情報記録再生装置がキューポイントを設定する際の第３動作例の流れを概念的に示すフローチャートである。尚、図６では、図２に示した第１動作例に係るフローチャートにおけるステップと同様のステップには同一の参照符号を付し、それらの説明は適宜省略する。
【００７４】
図６において、先ず、ステップS１０１及びステップS１０２の一連の動作が行われ、ビデオ信号の記録中の状態となる。
【００７５】
次に、ビデオプロセッサ３５は、ビデオ入力処理部１２から入力される画像データを、ビデオメモリ３６に記録し始める（ステップＳ３０１）。尚、ビデオプロセッサ３５は、この記録と並行して、ビデオ入力処理部１２から入力される画像データをビデオ出力処理部１３に出力している。
【００７６】
その後、第１入力部３１へのユーザからの指示の待ち状態となり、第１入力部３１へのユーザからの指示（即ち、第１入力）があったか否かが制御部４０により判定される（ステップＳ３０２）。より具体的には、第１入力部３１に含まれる操作ボタンが押下されたか否かが判定される。判定の結果、第１入力がないと判定された場合には（ステップＳ３０２：Ｎｏ）、再び、第１入力部３１へのユーザからの指示の待ち状態となる。
【００７７】
一方、判定の結果、第１入力があったと判定された場合には（ステップＳ３０２：Ｙｅｓ）、第１入力があった時点（即ち、第１入力点）から、ビデオメモリ３６に記録されていた画像データが逆再生される（ステップＳ３０３）。具体的には、ビデオメモリ３６に記録されていた画像データが、第１入力点から、ビデオプロセッサ３５によりビデオ出力処理部１３及びビデオ出力端子１１を介して外部の表示装置に出力されることで、この表示装置において、第１入力点からのビデオ信号が逆再生表示される。つまり、ユーザが、記録中のビデオ信号に係る映像を見ている途中、キューポイントを設定したい旨を示す第1入力を行った時点からその映像が逆再生表示される。
【００７８】
その後、第２入力部３２へのユーザからの指示の待ち状態となり、第２入力部３２へのユーザからの指示（即ち、第２入力）があったか否かが制御部４０により判定される（ステップＳ３０４）。より具体的には、第２入力部３２に含まれる操作ボタンが押下されたか否かが判定される。判定の結果、第２入力がないと判定された場合には（ステップＳ３０４：Ｎｏ）、再び、第２入力部３２へのユーザからの指示の待ち状態となる。
【００７９】
一方、判定の結果、第２入力があったと判定された場合には（ステップＳ３０４：Ｙｅｓ）、逆再生中の画像データ（言い換えれば、記録中の画像データ）における第２入力があった時点（即ち、第２入力点）でのタイムスタンプが制御部４０により取得される（ステップＳ３０５）。
【００８０】
次に、この取得されたタイムスタンプに基づいてキューポイントが、キューポイント設定部４１により設定される（ステップＳ３０６）。具体的には、キューポイント設定部４１は、取得されたタイムスタンプが示す時刻をキューポイントとして設定する。
【００８１】
よって、第３動作例によれば、ユーザは、第１入力を行うことにより逆再生表示された画像データ部分に係る映像によって、キューポイントとして設定したい時刻の映像を確認することができ、更にその時刻において第２入力を行うことによりキューポイントとして設定したい時刻を指定することができる。従って、キューポイント設定部４１により設定されたキューポイントとユーザがキューポイントとして設定したい時刻との差を、より一層、少なくすることが可能となる。
【００８２】
尚、ステップＳ３０３において、ビデオプロセッサ３５による逆再生が開始された後は、ユーザからの操作により再生状態が変更されてもよい。例えばスロー再生や早送りなど、再生状態として再生速度が変更されてもよいし、例えばＤＪ機器等に設けられるジョグダイヤルの操作に応じて再生状態が変更されるようにしてもよい。このようにユーザからの操作によって再生状態を変更することによって、ユーザは、キューポイントとして設定したい時刻における映像が表示されたとき、第２入力を行うことが一層容易になる。これにより、キューポイント設定部４１により設定されたキューポイントとユーザが本来キューポイントとして設定したい時刻との差を、より一層確実に少なくすることが可能となる。
【００８３】
続いて、このように設定されたキューポイントは、キューポイント設定部４１によって、メディア５０に記録される（ステップＳ１０６）。
【００８４】
（第４動作例）
次に、本実施例に係る情報記録再生装置がキューポイントを設定する際の第４動作例について、図１に加えて図７を参照して説明する。ここに図７は、本実施例に係る情報記録再生装置がキューポイントを設定する際の第４動作例の流れを概念的に示すフローチャートである。尚、図７では、図２に示した第１動作例に係るフローチャートにおけるステップと同様のステップには同一の参照符号を付し、それらの説明は適宜省略する。
【００８５】
図７において、先ず、ステップS１０１及びステップS１０２の一連の動作が行われ、ビデオ信号の記録中の状態となる。
【００８６】
次に、ビデオプロセッサ３５は、ビデオ入力処理部１２から入力される画像データから所定の時間間隔で静止画像を抽出して、ビデオメモリ３６に記録し始める（ステップ
Ｓ４０２）。尚、ビデオプロセッサ３５は、この記録と並行して、ビデオ入力処理部１２から入力される画像データをビデオ出力処理部１３に出力している。ビデオプロセッサ３５が画像データ~静止画像を抽出する際の所定の時間間隔は、例えばビデオメモリ３６の記憶容量、画像データに係る映像の種類などに応じて適宜設定すればよい。
【００８７】
その後、第１入力部３１へのユーザからの指示の待ち状態となり、第１入力部３１へのユーザからの指示（即ち、第１入力）があったか否かが制御部４０により判定される（ステップＳ４０２）。より具体的には、第１入力部３１に含まれる操作ボタンが押下されたか否かが判定される。判定の結果、第１入力がないと判定された場合には（ステップＳ４０２：Ｎｏ）、再び、第１入力部３１へのユーザからの指示の待ち状態となる。
【００８８】
一方、判定の結果、第１入力があったと判定された場合には（ステップＳ４０２：Ｙｅｓ）、第１入力があった時点（即ち、第１入力点）から、ビデオメモリ３６に記録されていた静止画像が表示される（ステップＳ４０３）。具体的には、ビデオメモリ３６に所定の時間間隔で（言い換えれば、時系列で）記録されていた静止画像が、ビデオプロセッサ３５によりビデオ出力処理部１３及びビデオ出力端子１１を介して外部の表示装置に出力されることで、この表示装置においてこれら静止画像が表示される。静止画像の表示は、第1入力点から所定の時間毎に或いはユーザからの指示により切り換えながら表示されるようにしてもよいし、複数の静止画像を縮小して同時に表示するサムネイル表示としてもよい。
【００８９】
その後、静止画選択入力部３３へのユーザからの選択入力の待ち状態となり、静止画選択入力部３３へのユーザからの選択入力があったか否かが制御部４０により判定される（ステップＳ４０４）。より具体的には、静止画選択入力部３３に含まれる例えば矢印ボタン、ジョグダイヤルによって一の静止画像が選択されたことを示す選択入力があったか否かが判定される。判定の結果、選択指示がないと判定された場合には（ステップＳ４０４：Ｎｏ）、再び、静止画選択入力部３３へのユーザからの選択指示の待ち状態となる。
【００９０】
一方、判定の結果、選択入力があったと判定された場合には（ステップＳ４０４：Ｙｅｓ）、選択された一の静止画像のタイムスタンプ（即ち、ビデオ信号の時間軸における時刻情報）が制御部４０により取得される（ステップＳ４０５）。
【００９１】
次に、この取得されたタイムスタンプに基づいてキューポイントが、キューポイント設定部４１により設定される（ステップＳ４０６）。具体的には、キューポイント設定部４１は、取得されたタイムスタンプ（つまり、ユーザによって選択された一の静止画像のタイムスタンプ）が示す時刻をキューポイントとして設定する。
【００９２】
よって、第４動作例によれば、ユーザは、第１入力を行うことにより第1入力時点よりも前の画像データ部分から抽出された複数の静止画像が表示されることによって、キューポイントとして設定したい時刻の静止画像を確認することができ、更にその静止画像を選択する選択入力を行うことによりキューポイントとして設定したい時刻を指定することができる。従って、キューポイント設定部４１により設定されたキューポイントとユーザが本来キューポイントとして設定したい時刻との差を、より一層、少なくすることが可能となる。
【００９３】
尚、第４動作例によれば、上述した第３動作例に比べて、ビデオメモリ３６に記録する画像データの量が少なくて済むので、ビデオメモリ３６を少ない記憶容量のメモリとして構成することができる。
【００９４】
続いて、このように設定されたキューポイントは、キューポイント設定部４１によって、メディア５０に記録される（ステップＳ１０６）。
【００９５】
（第５動作例）
次に、本実施例に係る情報記録再生装置がキューポイントを設定する際の第５動作例について、図８を参照して説明する。ここに図８は、本実施例に係る情報記録再生装置がキューポイントを設定する際の第５動作例の流れを概念的に示すフローチャートである。尚、図８では、図２に示した第１動作例に係るフローチャートにおけるステップと同様のステップには同一の参照符号を付し、それらの説明は適宜省略する。
【００９６】
図８において、先ず、上述した第1動作例と同様に、ステップS１０１からステップS１０６までの一連の動作が行われ、キューポイント設定部４０によりキューポイントが記録される。
【００９７】
次に、ステップS１０４において取得されたタイムスタンプに基づいてエンドポイントが、エンドポイント設定部４２により設定される（ステップS５０１）。より具体的には、エンドポイント設定部４２は、第１入力点でのタイムスタンプが示す時刻をエンドポイントとして設定する。よって、記録された画像データをキューポイントから頭出し再生してエンドポイントでその再生を自動終了することが可能となる。或いは、記録された画像データをキューポイントとエンドポイントとの間でループ再生することが可能となる。更に、本実施例では特に、キューポイント及びエンドポイントは、共通の第1入力によって、キューポイント設定部４１及びエンドポイント設定部４２によりそれぞれ設定されるので、キューポイントのみを設定する場合に比べて、ユーザからの入力（言い換えれば、ユーザの操作）を増やすことなく容易にループ再生可能にすることができる。
【００９８】
このように容易にループ再生可能にできることは、例えば当該情報記録再生装置をスポーツコーチングやスポーツトレーニングに用いる場合など、特定の映像部分（例えばコーチングの対象となるプレーシーン）を何度も繰り返し見る必要がある場合に特に有効である。更に、当該情報記録再生装置がDJ機器として用いられる場合には、ユーザには迅速な操作が要求されるため、キューポイント及びエンドポイントを共通の第1入力によって設定できることは大変便利である。
【００９９】
尚、図４を参照して上述した第２動作例において、ステップS１０４において取得されたタイムスタンプ（即ち、第１入力点でのタイムスタンプ）の示す時刻が、エンドポイント設定部４２によりエンドポイントとして設定されるようにしてもよいし、ステップS２０３において取得されたタイムスタンプ（即ち、第２入力点でのタイムスタンプ）の示す時刻が、エンドポイント設定部４２によりエンドポイントとして設定されるようにしてもよい。また、図６を参照して上述した第３動作例において、第１入力があったと判定された場合（ステップＳ３０２：Ｙｅｓ）に第１入力点でのタイムスタンプを取得し、第１入力点でのタイムスタンプの示す時刻が、エンドポイント設定部４２によりエンドポイントとして設定されるようにしてもよい。また、図７を参照して上述した第４動作例において、第１入力があったと判定された場合（ステップＳ４０２：Ｙｅｓ）に第１入力点でのタイムスタンプを取得し、第１入力点でのタイムスタンプの示す時刻が、エンドポイント設定部４２によりエンドポイントとして設定されるようにしてもよい。
【０１００】
本発明は、上述した実施例に限られるものではなく、請求の範囲及び明細書全体から読み取れる発明の要旨或いは思想に反しない範囲で適宜変更可能であり、そのような変更を伴うキューポイント設定装置及び方法、並びに情報再生装置及び情報記録装置もまた本発明の技術的範囲に含まれるものである。
【図面の簡単な説明】
【０１０１】
【図１】本実施例に係る情報記録再生装置の基本構成を示すブロック図である。
【図２】本実施例に係る情報記録再生装置がキューポイントを設定する際の第１動作例の流れを概念的に示すフローチャートである。
【図３】キューポイント及び第１入力点にて特定される画像データ部分を概念的に示すタイミングチャートである。
【図４】本実施例に係る情報記録再生装置がキューポイントを設定する際の第２動作例の流れを概念的に示すフローチャートである。
【図５】キューポイント、第１入力点及び第２入力点にて特定される画像データ部分を概念的に示すタイミングチャートである。
【図６】本実施例に係る情報記録再生装置がキューポイントを設定する際の第３動作例の流れを概念的に示すフローチャートである。
【図７】本実施例に係る情報記録再生装置がキューポイントを設定する際の第４動作例の流れを概念的に示すフローチャートである。
【図８】本実施例に係る情報記録再生装置がキューポイントを設定する際の第５動作例の流れを概念的に示すフローチャートである。
【符号の説明】
【０１０２】
１  情報記録再生装置
１１  ビデオ入力端子
１２  ビデオ入力処理部
１３  ビデオ出力処理部
１４  ビデオ出力端子
２２  ビデオ符号化部
２３  ビデオ復号化部
３１  第１入力部
３２  第２入力部
３３  静止画選択入力部
３４  キューポイント記録用メモリ
３５  ビデオプロセッサ
３６  ビデオメモリ
４０  制御部
４１  キューポイント設定部
４２  エンドポイント設定部
５０  メディア
【図１】
2008234798.tif 000003
【図２】
2008234798.tif 000004
【図３】
2008234798.tif 000005
【図４】
2008234798.tif 000006
【図５】
2008234798.tif 000007
【図６】
2008234798.tif 000008
【図７】
2008234798.tif 000009
【図８】
2008234798.tif 000010